(57)【要約】【課題】各種カード、紙幣や有価証券等の財産的価値の高いプレート状またはシート状の対象物に記録された特定データをリアルタイムに把握でき、流通する紙幣等を管理し、追跡することができる基体データ管理システムを提供する。【解決手段】基体データ管理システム１００は、基体１０に記録されている特定データを磁界結合を介して共振周波数を読み取る読取手段２０３と、読取手段によって読み取った特定周波数データと装置情報を送る送信手段２０５とを備えた基体データ読取装置２０１と、基体データ読取装置からネットワーク３００を介して送られてくる特定周波数データと装置情報を受信するデータ受信手段１０２と、データ受信手段によって受信した特定データと装置情報を記憶する記憶手段１０３と、記憶手段によって記憶されたデータを加工したり他のデータと照合して出力する出力手段１０４とを備えたホストコンピュータ１０１とを備えている。【選択図】図１
2008134695.tif 000002
【特許請求の範囲】
【請求項１】
基体に固定された粒子の特定データを磁界結合を介して読み取る読取手段と、前記読取手段によって読み取った前記特定データ、および読取装置情報を送る送信手段とを備えた基体データ読取装置と、
前記基体データ読取装置からネットワークを介して送られてくる前記特定データと前記装置情報を受信するデータ受信手段と、前記データ受信手段によって受信された前記特定データおよび前記装置情報を記憶する記憶手段と、前記記憶手段によって記憶されたデータを加工して出力する出力手段とを備えたコンピュータと、
から成ることを特徴とする基体データ管理システム。
【請求項２】
前記基体はＲＦパウダーを有し、
前記ＲＦパウダーに含まれるＲＦパウダー粒子は、外部から与えられる高周波電磁界に感応するアンテナ回路素子を有する、
ことを特徴とする請求項１記載の基体データ管理システム。
【請求項３】
前記基体は紙またはプラスチックからなることを特徴とする請求項１または２記載の基体データ管理システム。
【請求項４】
前記基体は紙幣または有価証券であることを特徴とする請求項３記載の基体データ管理システム。
【請求項５】
前記特定データは、前記ＲＦパウダー粒子の前記アンテナ回路素子によって与えられる周波数データであることを特徴とする請求項２記載の基体データ管理システム。
【請求項６】
前記装置情報は、前記基体データ読取装置のＩＤと設置場所情報と読取り日時情報を含むことを特徴とする請求項１記載の基体データ管理システム。
【発明の詳細な説明】
【技術分野】
【０００１】
本発明は基体データ管理システムに関し、特に、ＲＦパウダーを有する基体が持つ特定データを読み取り、記憶し、管理し、さらに流通する紙幣等の基体を追跡するのに好適な基体データ管理システムに関する。
【背景技術】
【０００２】
現在、ＩＣタグはユビキタス時代の入り口にある商品と考えられている。ＲＦ−ＩＤ（超小型無線認識）として名札やスイカカード、ＦｅＲＡＭカードなど、以前から開発が行われている。ＩＣタグの市場は将来必ず大きいものに成長すると、多数の人が期待している。しかし、未だに期待しているほどには市場は育っていない。その理由として、価格とセキュリティー、機密の問題など、社会的に解決しなくてはならない課題があるからである。
【０００３】
またＲＦ−ＩＤの技術は、紙幣や有価証券等の財産的価値を有する書面の識別への応用も考えられる。紙幣の偽造などが問題となっており、それらの問題を解決するための方法として、ＩＣタグを紙幣等に埋め込むことが考えられる。しかしながら、ＩＣタグの価格が高いことやサイズが大きいために上記のことが実現するには至っていない。
【０００４】
ＩＣタグの価格は、ＩＣタグチップのサイズを小さくすることにより安くすることができる。それは、ＩＣタグチップのサイズを小さくすれば、１枚のウェハから得られるＩＣタグチップの数量を多くすることができるからである。現在までに、０．４ｍｍ角のＩＣタグチップが開発されている。このＩＣタグチップは、チップ内の１２８ビットのメモリデータを２．４５ＧＨｚのマイクロ波で読み取ることができる（例えば、非特許文献１参照）。
【０００５】
一方、偽造された紙幣の出所場所やその使用者を追跡するためのシステムとして、紙幣毎に区別して記録された特定データを読み取り、保存して、紙幣の出所データを追跡管理することができる紙葉類データ管理システムが開示されている（例えば、特許文献１参照）。この紙葉類データ管理システムでは、紙幣に記録された特定データを読取装置で読み取り、記憶し、紙幣をその装置から回収するときに、記憶された特定データも紙幣の移送するところに移送するものであった。
【特許文献１】特開平１１−３２８４９３号公報
【非特許文献１】宇佐美光雄、『超小型無線ＩＣタグチップ「ミューチップ」』、応用物理、Ｖｏｌ．７３、Ｎｏ．９、２００４、ｐ．１１７９−ｐ．１１８３
【発明の開示】
【発明が解決しようとする課題】
【０００６】
特許文献１に開示されるデータ管理システムでは、紙幣が読取装置から回収されるときに、特定データを、紙幣と共に、移送する形態を取っているため、回収先において初めて偽造紙幣を利用したことが把握することができるシステムであった。そのため、紙幣の特定データを読み取った時点で、その特定データをリアルタイムに把握、管理することができず、管理者は、偽造紙幣が使用されたことを迅速に把握することは困難であった。
【０００７】
本発明の目的は、上記の課題を鑑み、各種カード、紙幣や有価証券等の財産的価値の高いプレート状またはシート状の対象物に記録された特定データをリアルタイムに把握でき、流通する紙幣等を管理し、追跡することができる基体データ管理システムを提供することにある。
【課題を解決するための手段】
【０００８】
本発明に係る基体データ管理システムは、上記の目的を達成するために、次のように構成される。
【０００９】
基体データ管理システムは、基体に固定された粒子の特定データを読み取る読取手段、読取手段によって読み取った特定データおよび読取装置情報を送る送信手段を備えた基体データ読取装置と、基体データ読取装置からネットワークを介して送られてくる特定データと装置情報を受信するデータ受信手段、データ受信手段によって受信された特定データと装置情報を記憶する記憶手段、記憶手段によって記憶されたデータを目的に応じて加工して出力する出力手段を備えたコンピュータとを備えるように構成される。
【００１０】
上記の構成において、基体はＲＦパウダーを有しており、ＲＦパウダーに含まれるＲＦパウダー粒子は、外部から与えられる高周波電磁界に感応するアンテナ回路素子を有している。
【００１１】
上記の構成において、好ましくは、基体は紙またはプラスチックからなる。さらに基体は紙幣である。
【００１２】
上記の構成において、好ましくは、特定データは、ＲＦパウダー粒子内のアンテナ回路素子によって与えられる周波数データある。
【００１３】
上記の構成において、好ましくは、装置情報は、基体データ読取装置のＩＤと設置場所情報と読み取り日時情報を含む。
【発明の効果】
【００１４】
本発明によれば、基体から与えられる特定のデータを読み取り、その特定データと装置情報を送信する基体データ読取装置と、基体データ読取装置からネットワークを介して送られてくる特定データと装置情報を受信し、記憶し、必要に応じて出力するコンピュータとを備えたため、各種カード、紙幣や有価証券等の財産的価値の高いプレート状またはシート状の対象物から与えられる特定データをリアルタイムに把握でき、管理することができる。それにより、管理者は、流通する紙幣等をリアルタイムで追跡でき、偽造紙幣等が使用された場合には、これを迅速に把握することができる。
【発明を実施するための最良の形態】
【００１５】
以下に、本発明の好適な実施形態（実施例）を添付図面に基づいて説明する。
【００１６】
図１は、本発明の実施形態に係る基体データ管理システムの全体的構成を説明するための図である。図１に示すように、基体データ管理システム１００は、例えばホストコンピュータ１０１（一般的にはコンピュータ１０１）と、例えば２台の基体データ読取装置２０１，２０２とがネットワーク３００で接続された構成を有している。図１の例では、基体データ読取装置の個数が２台であるが、実際には所要の箇所に多数の基体データ読取装置が設けられ、ネットワーク３００に接続されている。ネットワーク３００は代表的にはインターネットである。
【００１７】
基体データ読取装置２０１，２０２は、それぞれ、紙幣等のシート状基体に記録されている特定データを読み取る読取部２０３，２０４と、読取部２０３，２０４によって読み取った特定データと装置情報を送る送信部２０５，２０６とを備えている。ここで、特定データとは、後述のようにＲＦパウダーを形成する多数のＲＦパウダー粒子の各々によって与えられる情報（周波数データ等の特定データ）、ＲＦパウダー粒子の基体における配置に関するデータである。また装置情報とは、基体データ読取装置２０３，２０４のＩＤと設置場所情報と読み取り日時情報である。
【００１８】
上記の基体データ読取装置２０１，２０２は、基体データ管理システム１００の単なる端末装置として構成することもできるし、端末機能を有しかつネットワークと接続して通信機能を有する独立したコンピュータ（ＰＣ）として構成することもできる。
【００１９】
ホストコンピュータ１０１は、基体データ読取装置２０１，２０２からネットワーク３００を介して送られてくる特定データと装置情報を受信するデータ受信部１０２と、データ受信部１０２によって受信された特定データと装置情報を記憶する記憶部１０３と、記憶部１０３によって記憶されたデータを出力する出力部１０４とを備えている。出力部１０４は、例えば表示画面やプリンタ等である。また、ホストコンピュータ１０１は、記憶部１０３に記憶された情報を検索し、出力部１０４からその検索結果をそのまま、あるいは加工して出力するための命令を入力するための入力部１０５を備えている。
【００２０】
この基体データ管理システム１００では、例えば、基体データ読取装置２０１で紙幣を読み取らせる。それにより、読取部２０３により、紙幣等の基体に記録された特定データが読み取られ、送信部２０５からネットワーク３００を介して、特定データと共に、ＩＤと設置場所情報と読み取り日時情報を含む装置情報がホストコンピュータ１０１に送られる。ホストコンピュータ１０１は、送られた特定データと装置情報をデータ受信部１０２により受信し、記憶部１０３に記憶する。記憶された特定データと装置情報は、表示が必要な場合は出力部１０４により、表示画面に表示され、またはプリンタから出力される。それにより、紙幣等の基体がどの装置により、いつ、どこで、読み取られたかがリアルタイムに把握でき、また、特定データにより、その紙幣が偽紙幣かどうかも把握することができる。また、特定の紙幣等の基体の特定データを指定することにより、ホストコンピュータ１０１の記憶部１０３に記憶される特定データと装置情報を検索すると共に、必要な他のデータと照合することにより、どのルートでその紙幣が流通しているかを追跡することができ、紙幣等の基体を中央管理局で容易にかつ正確に管理することができる。
【００２１】
なおここでは、基体データ読取装置は、２台設けた例を示したが、それに限らず、基体データ読取装置が２台以上でも同様のシステムを構築することが可能であることは言うまでもない。
【００２２】
次に、図２を参照して、この基体データ管理システムにおいて用いられる紙幣等の基体について説明する。図２は、本発明の基体データ管理システムで用いられるＲＦパウダー含有基体を示す斜視図である。図２は、拡大して示しており、紙からなる基体１０に一例として１種類の多数のＲＦパウダー粒子１１が表面に印刷手法等で配置されている様子を示している。ここでは、基体１０の例として紙幣を用いる。ＲＦパウダー粒子１１は、色のついた印刷インクと共に表面に配置され、配置は文字や数字を表現するようにしており、図２では、一例として「Ｐ」の文字が描かれている。ＲＦパウダー粒子１１は、１種類の周波数の高周波電磁界に感応する特性を有している。
【００２３】
上記ＲＦパウダー粒子１１は、実際には、多数のＲＦパウダー粒子により粉状体の使用態様にて集合的にて取り扱われ、ＲＦパウダーを構成する。ＲＦパウダー粒子１１はシート状の形状を有する基体１０の表面に「Ｐ」の文字を描くように分散的に広がって存在している。上記のごとく、表面または内部等に存在する多数のＲＦパウダー粒子を配置等して成る基体１０を「ＲＦパウダー含有基体１０」と呼ぶことにする。
【００２４】
また上記の「ＲＦパウダー」とは、パウダー（粉状体）を形成する多数（大量）の粒子の各々が無線（高周波電磁界）を介して外部のリーダ（読取部２０３，２０４）との間で信号の送受を行う電気回路要素を有し、通常の使用態様が集合的形態であるパウダーとして使用されるものを意味する。
【００２５】
次に、図３〜図５を参照して、多数のＲＦパウダー粒子（１１）のうちの１つ分の具体的構造をＲＦパウダー粒子２１として説明する。
【００２６】
図３はＲＦパウダー粒子の外観斜視図を示し、図４はＲＦパウダー粒子の平面図を示し、図５は図４におけるＡ−Ａ線断面図を示している。図５の縦断面図においてＲＦパウダー粒子はその厚みを誇張して示している。
【００２７】
図３において、ＲＦパウダー粒子２１は、好ましくは、立方体またはこれに類似した板状の直方体の形状を有し、外側表面での複数の矩形平面に関して、最長辺を含む矩形平面が好ましくは０．３０ｍｍ角以下の大きさを有し、より好ましくは０．１５ｍｍ角以下の大きさを有する３次元的な形状を有している。この実施形態のＲＦパウダー粒子２１は、図４に示すように、その平面形状が正方形になるように形成されている。ＲＦパウダー粒子２１では、正方形の平面形状において、例えば図４中の一辺Ｌが０．１５ｍｍ（１５０μｍ）となっている。
【００２８】
ＲＦパウダー粒子２１では、シリコン（Ｓｉ）等の基板２２上に絶縁層２３（ＳｉＯ２等）を形成し、この絶縁層２３の上に複数巻きのコイル２４（インダクタンス要素）とコンデンサ（またはキャパシタ）２５（キャパシタンス要素）とが成膜技術によって形成される。絶縁層２３の厚みは例えば１０μｍ程度である。コンデンサ２５は、２つの部分２５ａ，２５ｂから構成されている。
【００２９】
絶縁層２３上に形成されたコイル２４とコンデンサ２５は、特定の周波数（例えば２．４５ＧＨｚ）の高周波磁界に結合して共振する機能を有している。コイル２４は、図３または図４に示されるように、ＲＦパウダー粒子２１の正方形の平面形状の各辺に沿って、１本の導体配線を例えば三重巻きにすることにより形成されている。コイル２４を形成する導体配線の材質は例えば銅（Ｃｕ）である。コイル２４の両端部は所要の面積を有する正方形のパッド２４ａ，２４ｂとなっている。２つのパッド２４ａ，２４ｂは、それぞれ、コイル２４の交差部分を間において内周側と外周側に配置されている。２つのパッド２４ａ，２４ｂを結ぶ方向は、コイル２４の交差部分に対して直交する方向となっている。パッド２４ａ，２４ｂのそれぞれは、コンデンサ２５の２つの部分２５ａ，２５ｂの上側電極として機能する。
【００３０】
上記において、コイル２４の巻数と長さは目的の共振周波数を得るために任意に設計することができる。またコイル２４の形状も任意に変更することができる。同様にコンデンサのパッド電極、パッド電極にはさまれる誘電体とその厚みも目的の周波数に合わせて設計できる。
【００３１】
コンデンサ２５は、本実施形態の場合には、例えば２つのコンデンサ要素２５ａ，２５ｂから構成されている。コンデンサ要素２５ａは、上側電極２４ａと下側電極２６ａ（アルミニウム（Ａｌ）等）とそれらの間に位置する絶縁膜２７（ＳｉＯ２等）とから構成されている。下側電極２６ａは上側電極２４ａとほぼ同形の電極形状を有している。絶縁膜２７によって上側電極２４ａと下側電極２６ａは電気的に絶縁されている。またコンデンサ要素２５ｂは、上側電極２４ｂと下側電極２６ｂとそれらの間に位置する絶縁膜２７とから構成されている。この場合にも、同様に、下側電極２６ｂは上側電極２４ｂとほぼ同形の電極形状を有して、絶縁膜２７によって上側電極２４ｂと下側電極２６ｂは電気的に絶縁されている。
【００３２】
コンデンサ要素２５ａ，２５ｂの各々の下側電極２６ａ，２６ｂは導体配線２６ｃで接続されている。実際には、２つの下側電極２６ａ，２６ｂと導体配線２６ｃは一体物として形成されている。またコンデンサ要素２５ａ，２５ｂの各々の絶縁膜２７は共通の一層の絶縁膜となっている。絶縁膜２７の厚みは例えば３０ｎｍである。絶縁膜２７は、２つのコンデンサ要素２５ａ，２５ｂの間の領域において、下側電極２６ａ，２６ｂの間を接続する導体配線２６ｃと、コイル２４とを電気的に絶縁している。
【００３３】
上記の構成によって、コイル２４の両端部の間には、電気的に直列に接続された２つのコンデンサ要素２５ａ，２５ｂで作られるコンデンサ２５が接続されることになる。ループを形成するように接続されたコイル２４とコンデンサ２５とによってタンク回路（ＬＣ共振回路）が形成される。タンク回路は、その共振周波数に一致する周波数を有する高周波電磁界に感応する。
【００３４】
なお図５から明らかなように、ＲＦパウダー粒子２１の表面の全体はＰ−ＳｉＮ膜２８により被覆されている。Ｐ−ＳｉＮ膜２８は、ＲＦパウダー粒子２１におけるタンク回路が形成されている側の表面を保護している。
【００３５】
上記において、コンデンサ２５は２つのコンデンサ要素２５ａ，２５ｂで構成したが、これに限定されず、いずれか一方による１つのコンデンサ要素で作ることもできる。コンデンサ２５の容量値は、電極の面積と誘電体、その厚みを調整することにより目的の周波数に合わせて適宜に設計することができる。複数のコンデンサを並列に配置することにより適宜に設計することもできる。
【００３６】
以上の構造を有するＲＦパウダー粒子２１は、基板２２の表面における絶縁面上にループ状に接続された複数巻のコイル２４とコンデンサ２５とから成るタンク回路を有するので、目的の周波数を得るため、一定の与えられた大きさに対して任意に設計できる。当該タンク回路の共振周波数で決まる高周波電磁界のみに感応する作用を有することになる。このようにして、ＲＦパウダー粒子２１は設計された周波数の磁界に結合して共振する「パウダー回路要素」として機能する。
【００３７】
また絶縁層２３の上に形成されたコイル２４とコンデンサ２５は、基板２２の表面部分との間では、電気的配線で接続される関係を有していない。すなわち、基板２２の上に堆積された絶縁層２３にはコンタクトホールが形成されず、コンタクト配線が形成されてない。コイル２４とコンデンサ２５から成るタンク回路は、シリコン基板２２から電気的に絶縁された状態で作られている。コイル２４とコンデンサ２５から成るタンク回路は、基板２２から分離された状態で、その回路自身だけで共振回路として構成される。
【００３８】
上記のＲＦパウダー粒子２１で、土台の基板２２はシリコン基板であり、その表面に絶縁層２３が形成されているが、基板についてはシリコン基板の代わりに例えばガラス、樹脂、プラスチックス等の誘電体（絶縁体）を利用した基板を用いることができる。ガラス基板等を用いる場合には、本来的に材質は絶縁体（誘電体）であるので、絶縁層２３を特別に設ける必要はない。
【００３９】
なお図３に示されたＲＦパウダー粒子２１の形状および構造は図示されたものに限定されず、任意に変更することができる。
【００４０】
次に、図６〜図８を参照して本発明の実施形態に係るＲＦパウダー含有基体１０の実際の使い方、およびその作用を説明する。基体１０への適用では、前述した例えば基体データ読取装置２０１での特定データの読み取りが実行される。なお基体データ読取装置２０２は基体データ読取装置２０１と同じ構成・作用を有する装置であるため、その説明を省略する。
【００４１】
図２で説明したように、紙幣等のシート状の基体１０は、相当な数のＲＦパウダー粒子（１１）をその表面に配置している。図６では、基体１０の厚みを誇張し拡大して示している。基体１０にＲＦパウダー粒子１１を付加するときには、ＲＦパウダーを含んだ接着固定剤入りの水溶液(インキやペンキ等）を、基体１０の表面に文字を描くように描き込む。それにより、多数のＲＦパウダー粒子１１を基体１０の例えば表面に付着させる。紙の製造時にその内部に固定させることも可能である。
【００４２】
基体１０はコンピュータ３１に接続されたリーダ３２によって走査される。コンピュータ３１は複数のＲＦパウダー粒子１１の応答の周波数依存データを読み込む。コンピュータ３１はデータを処理する機能の本体３１ｂの他に表示装置３１ａ、操作のためにキーボード３１ｃを備えている。このコンピュータ３１は上記の基体データ読取装置２０１を構成する。
【００４３】
上記リーダ３２は読込みプローブ３３(図７と８を参照)を有し、読込みプローブ３３は高周波電磁界を近傍に生成し、磁界結合によりパウダー（ＲＦパウダー粒子１１〜１３）と結合する。パウダー粒子の固有振動数が例えば２．４５ＧＨｚのとき、高周波電磁界の周波数が同じ２．４５ＧＨｚのときに共振して電磁界エネルギがＲＦパウダー粒子に伝達する。この伝達が効率よく起きるためには読込みプローブ３３の生成する電磁界にＲＦパウダー粒子のコイルがよく結合するほどに、近傍にある必要がある。空間で結合が効率よく起きるためには、互いのコイルの大きさが略同じで、また互いの距離はコイルの大きさと同じ程度にあるのが望ましい。エネルギの伝達が起き伝達した先の回路にエネルギが伝達してそれが戻らないという損失があると反射率が小さくなるので、例えば反射率を測定すると共振を確認できる。ＲＦパウダー粒子の固有の振動周波数２．４５ＧＨｚを検出するには、読込みプローブ３３は例えば１〜３ＧＨｚまで周波数を変化させる。リーダ３２はパウダーの位置を特定するために基体１０の表面上を磁界結合が起きるように一定の距離を保ちながら走査動作をする。
【００４４】
図７はリーダ３２の読込みプローブ３３から所定のある周波数の高周波を生成したとき、固有の振動周波数が一致または近いＲＦパウダー粒子１１のタンク回路のコイルに共振電流が流れて、ＲＦパウダー粒子１１の周りに電磁界Ｈが生成される様子を模式的に示したものである。これを「感応している」と、本実施形態の説明では表現するときがある。ＲＦパウダ粒子は波長(例えば２ＧＨｚ帯の場合は１５ｃｍ)に比べて十分小さい(０．１５ｍｍ)ので電磁波の放射の成分は無視できる。読込みプローブ３３からの高周波エネルギの伝達と反射、損失は磁界結合を介して行われる。
【００４５】
図８はＲＦパウダー粒子１１が存在する場所で磁界結合してエネルギの伝達と反射が起きる様子を示す。リーダ３２が走査移動して読込みプローブ３３がＲＦパウダー粒子１１の上方にある。読込みプローブ３３は定められた範囲で周波数を変化させながら周りに高周波磁界を生成する。ＲＦパウダー粒子１１の固有振動周波数に近づきまたは一致したときには磁界結合を介してＲＦパウダー粒子１１のコイルとコンデンサのタンク回路には同じ周波数で電流が流れ、エネルギの伝達（図８中、矢印３４で示す。）が起きる。電流は伝達された(または受信した)エネルギの一部を回路内で熱として消費して損失エネルギ成分となる。損失エネルギ成分は読込みプローブ３３から見ると反射成分(図８中、矢印３５で示す。)の低下として測定できる。固有振動数に一致するときに最も大きな損失となり反射成分が低下する。この測定を行うことにより共振した周波数をパウダーの周波数データ情報として図６に示すリーダ３２は読込みプローブ３３の位置情報と共にコンピュータ３１に送る。コンピュータ３１は周波数情報を記憶して、基体データ読取装置２０１として、内蔵される前述の送信部２０５によってネットワーク３００を経由してホストコンピュータ１０１に対して取得した上記周波数情報を送信する。
【００４６】
図６で示した基体１０の表面の全体に渡ってリーダ３２が走査を行うことにより、基体１０の走査領域の全域に存在するＲＦパウダー粒子１１の位置情報および周波数情報が、コンピュータ３１のメモリに記憶され、かつホストコンピュータ１０１へ送信される。また、必要ならば、ＲＦパウダー粒子１１が配置されて表現されている文字や数字も読み取られ、記憶される。
【００４７】
上記のような方法で、例えば紙幣の表面に上記ＲＦパウダー粒子１１を配置して作ったり、公文書等の重要書類、免許証、保険証、その他の重要カード等にＲＦパウダー粒子１１を含ませることにより、紙幣の偽造判別、重要書類の認証等にＲＦパウダー粒子１１を利用することができる。またこのとき、１つの個別のＩＣタグチップとして用いるのではなく、複数または多数のＲＦパウダー粒子を集合的に利用するパウダー（粉状体）として用いるため、取り扱いが容易である。
【００４８】
またＲＦパウダー含有基体１０が紙幣である場合、当該紙幣１０は、ホストコンピュータ１０１に予め記憶されている情報と読取コンピュータ３１の情報に基づいて偽造かどうかを判別することができ、さらには、ホストコンピュータ１０１でその流通を追跡すると共に、他のデータと照合することもできる。
【００４９】
なお本実施形態では、ＲＦパウダー含有基体として紙幣の例を説明したが、それ以外に、書類用の紙や有価証券、名刺、クレジットカードのようなプラスチック製カードを用いてもよい。例えば、ＲＦパウダーを配置させた紙で、表面に何も描いてないものでも、その紙をリーダで読み取ることにより、コンピュータの表示画面に、各ＲＦパウダー粒子の配置、各ＲＦパウダー粒子の感応する高周波電磁界の周波数情報等に基づいて、画像を作成することが可能である。
【００５０】
また本実施形態では、ＲＦパウダー粒子１１の１種類のＲＦパウダー粒子を配置させた基体１０の例を説明したが、それに限定されず、基体に含ませるＲＦパウダー粒子の種類は１種類以上でもよい。
【００５１】
複数種類のＲＦパウダーを用いるときは、ＲＦパウダー粒子は、上記のＲＦパウダー粒子１１とほぼ同一の構造をしているが、各ＲＦパウダー粒子が有するタンク回路が、異なる周波数の高周波電磁界に対して感度を有するように設計すればよい。
【産業上の利用可能性】
【００５２】
本発明に係る基体データ管理システムは、紙幣やクレジットカードや書類等の使用経路を追跡することができ、紙幣等のトレーサビリティーを保証し、偽札の防止等を防ぐシステムとして利用される。
【図面の簡単な説明】
【００５３】
【図１】本発明の実施形態に係る基体データ管理システムの全体構成を説明するためのシステム図である。
【図２】ＲＦパウダー含有基体の実施例を示す斜視図である。
【図３】ＲＦパウダー含有基体の表面上に配置される１つのＲＦパウダー粒子の示す斜視図である。
【図４】ＲＦパウダー粒子の平面図である。
【図５】図４におけるＡ−Ａ線断面図である。
【図６】基体データ読取装置でのＲＦパウダ−含有基体に付加されたＲＦパウダー粒子から信号を受信する構成を示した図である。
【図７】リーダとＲＦパウダー含有基体との信号のやり取りを示す模式図である。
【図８】１つのＲＦパウダー粒子の存在場所でのリーダとの高周波電磁界の送受関係を示す図である。
【符号の説明】
【００５４】
１０          基体（紙幣）
１１，２１    ＲＦパウダー粒子
２２          基板
２４          コイル
２５          コンデンサ
３１          コンピュータ
３２          リーダ
１００        基体データ管理システム
１０１        ホストコンピュータ
１０２        データ受信部
１０３        記憶部
１０４        出力部
２０１        基体データ読取装置
２０２        基体データ読取装置
３００        ネットワーク
【図１】
2008134695.tif 000003
【図２】
2008134695.tif 000004
【図３】
2008134695.tif 000005
【図４】
2008134695.tif 000006
【図５】
2008134695.tif 000007
【図６】
2008134695.tif 000008
【図７】
2008134695.tif 000009
【図８】
2008134695.tif 000010